(57)【要約】【課題】  回転体の回転時に、軸受け部（筒体）と回転体（軸部）との接触摩擦の発生を極力削減して、回転時の操作力の軽トルク化が図れる回転型電気部品を提供する。【解決手段】  中央に円形状に立設された軸受け部１ｃを有するハウジング１と、軸受け部１ｃに回動可能に係合される筒状回転部４ｂを有する回転部材４と、回転部材４の回動に伴って電気信号を出力する信号検出手段とを備え、軸受け部１ｃと筒状回転部４ｂとの係合面に斜面からなる傾斜部１ｄを形成すると共に、軸受け部１ｃと筒状回転部４ｂとの係合面同士を所定の角度を持って対向させ、回転部材４が回動する際には、傾斜部１ｄにより、軸受け部１ｃと筒状回転部４ｂとの係合面同士の一部でのみ摺動するようにした。【選択図】        図３
2005166460.tif 000002
【特許請求の範囲】
【請求項１】
中央に円形状に立設された軸受け部を有するハウジングと、前記軸受け部に回動可能に係合される筒状回転部を有する回転部材と、この回転部材の回動に伴って電気信号を出力する信号検出手段とを備え、前記軸受け部と前記筒状回転部との係合面に斜面からなる傾斜部を形成すると共に、前記軸受け部と前記筒状回転部との係合面同士を所定の角度を持って対向させ、前記回転部材が回動する際には、前記傾斜部により、前記軸受け部と前記筒状回転部との係合面同士の一部でのみ摺動するようにしたことを特徴とする回転型電気部品。
【請求項２】
前記軸受け部の外周面に先細状となる傾斜部を形成し、この傾斜部の基部側で前記回転部材の筒状回転部の内周面と係合させるようにしたことを特徴とする請求項１記載の回転型電気部品。
【請求項３】
前記回転部材の筒状回転部の内周面に先広状の傾斜部を形成し、この傾斜部の基部側で前記軸受け部の外周面と係合させるようにしたことを特徴とする請求項１記載の回転型電気部品。
【請求項４】
前記軸受け部の外周面に先広状となる傾斜部を形成し、この傾斜部の先端側で前記回転部材の筒状回転部の内周面と係合させるようにしたことを特徴とする請求項１記載の回転型電気部品。
【請求項５】
前記回転部材の筒状回転部の内周面に先細状の傾斜部を形成し、この傾斜部の先端側で前記軸受け部の外周面と係合させるようにしたことを特徴とする請求項１記載の回転型電気部品。
【請求項６】
前記傾斜部を、金型の抜きテーパー以上の傾斜角度を有する斜面で形成したことを特徴とする請求項１乃至５の何れかに記載の回転型電気部品。
【発明の詳細な説明】
【技術分野】
【０００１】
本発明は、携帯用電子機器のメニュー選択などに使用される小型の回転型電気部品に係り、特に回転型電気部品の軸受け構造に関する。
【背景技術】
【０００２】
従来の回転型電気部品の構造としては、合成樹脂製のウエハと、このウエハに回転自在に装着された合成樹脂製のロータと、ウエハの上部に被着された金属板製のカバーと、ウエハとロータの組合体にパルス信号を発生する接点切り換え機構と、クリック感触を生起するクリック機構とを備えたものが知られている（例えば、特許文献１参照）。
【０００３】
以下、従来の回転型電気部品の構造を図に基づいて説明する。図８は従来の回転型電気部品の構造を示す断面図である。
【０００４】
図において、ウエハ５１の中央には開口５４が設けられ、この開口５４の周囲には筒体５５が立設されている。この筒体５５の下部にはクリック用の凹凸部５６が形成されている。また、ウエハ５１の外周縁には外輪壁５７が立設され、この内側の凹溝５８には図示しないコモン及び位相パターンが配設されており、各パターンからは端子６２が導出されている。
【０００５】
ロータ５２は、円筒状の軸部６３とリング状の保持部６４を有し、軸部６３の内周面が筒体５５の上部周面にガイドされ、ウエハ５１に回転自在に連結されている。また、保持部６４には中央に突部を有するクリックばね６５が係止されており、この突部が前記凹凸部５６に弾設している。また、保持部６４の下面には図示しない摺動子が固着されており、この摺動子の先端に設けられた接点が前記凹溝５８内に配設されたぞれぞれのコモン及び位相パターンに弾接している。
【０００６】
カバー５３は、ウエハ５１の外輪壁５７の上面に固定されており、凹溝５８の上端を被覆している。また、ロータ５２の保持部６４がカバー５３の下面に摺接しており、ロータ５２が抜け止めされている。
【０００７】
上記ロータ５２の軸部６３を回転操作すると、保持部６４の下面に固着された摺動子が凹溝５８内に配設されたコモン及び位相パターン上を摺動してパルス波形が出力される。そして、このパルス波形を判定することによってロータ５２の回転方向や回転量が検出される。この時、クリックばね６５の突部と筒体５５の下部に設けられた凹凸部５６が係脱する際にクリック感触が生起されるものとなる。
【０００８】
【特許文献１】特開平１０−１９９３７１号公報
【発明の開示】
【発明が解決しようとする課題】
【０００９】
しかしながら、従来の回転型電気部品においては、ウエハ５１に回転自在に装着されているロータ５２の軸部６３の内周面が、ウエハ５１の筒体５５の上部周面にガイドされて回転するようになっており、軸部６３と筒体５５とが同一の筒型形状で形成されていることから、回転する際に両者間が面と面との面接触した状態で擦れる状態となっているため、接触摩擦による回転トルクが発生し、操作力が重くなってしまうという問題があった。
【００１０】
したがって、本発明では上述した問題点を解決し、回転体の回転時に、軸受け部（筒体）と回転体（軸部）との接触摩擦の発生を極力削減して、回転時の操作力の軽トルク化が図れる回転型電気部品を提供することを目的とする。
【課題を解決するための手段】
【００１１】
上記課題を解決するために本発明では第１の解決手段として、中央に円形状に立設された軸受け部を有するハウジングと、前記軸受け部に回動可能に係合される筒状回転部を有する回転部材と、この回転部材の回動に伴って電気信号を出力する信号検出手段とを備え、前記軸受け部と前記筒状回転部との係合面に斜面からなる傾斜部を形成すると共に、前記軸受け部と前記筒状回転部との係合面同士を所定の角度を持って対向させ、前記回転部材が回動する際には、前記傾斜部により、前記軸受け部と前記筒状回転部との係合面同士の一部でのみ摺動するようにした構成とした。
【００１２】
また、第２の解決手段として、前記軸受け部の外周面に先細状となる傾斜部を形成し、この傾斜部の基部側で前記回転部材の筒状回転部の内周面と係合させるようにした構成とした。
また、第３の解決手段として、前記回転部材の筒状回転部の内周面に先広状の傾斜部を形成し、この傾斜部の基部側で前記軸受け部の外周面と係合させるようにした構成とした。
【００１３】
また、第４の解決手段として、前記軸受け部の外周面に先広状となる傾斜部を形成し、この傾斜部の先端側で前記回転部材の筒状回転部の内周面と係合させるようにした構成とした。
また、第５の解決手段として、前記回転部材の筒状回転部の内周面に先細状の傾斜部を形成し、この傾斜部の先端側で前記軸受け部の外周面と係合させるようにした構成とした。
また、第６の解決手段として、前記傾斜部を、金型の抜きテーパー以上の傾斜角度で形成した構成とした。
【発明の効果】
【００１４】
上述したように、本発明の回転型電気部品は、中央に円形状に立設された軸受け部を有するハウジングと、軸受け部に回動可能に係合される筒状回転部を有する回転部材と、回転部材の回動に伴って電気信号を出力する信号検出手段とを備え、軸受け部と筒状回転部との係合面に斜面からなる傾斜部を形成すると共に、軸受け部と筒状回転部との係合面同士を所定の角度を持って対向させ、回転部材が回動する際には、傾斜部により、軸受け部と筒状回転部との係合面同士の一部でのみ摺動するようにしたことから、軸受け部と筒状回転部との係合面に斜面からなる傾斜部を形成することにより、回転部材が回動する際には、点によるナイフエッジ接触となり互いの係合面同士が面接触しないようにしたので、軸受け部と筒状回転部との接触摩擦の発生を最小限にできるため、回転部材の回転トルクをゼロに近づけることができ操作力が軽減される。
また、別途部品を追加する必要もないので、安価対応が可能となる。
【００１５】
また、軸受け部の外周面に先細状となる傾斜部を形成し、傾斜部の基部側で回転部材の筒状回転部の内周面と係合させるようにしたことから、軸受け部に先細状の傾斜部を設けるだけでいいので、簡易な構成で軽トルク化が図れる。
また、回転部材の筒状回転部の内周面に先広状の傾斜部を形成し、傾斜部の基部側で軸受け部の外周面と係合させるようにしたことから、回転部材の筒状回転部に先広状の傾斜部を設けるだけでいいので、簡易な構成で軽トルク化が図れる。
【００１６】
また、軸受け部の外周面に先広状となる傾斜部を形成し、傾斜部の先端側で回転部材の筒状回転部の内周面と係合させるようにしたことから、軸受け部に先広状の傾斜部を設けるだけでいいので、簡易な構成で軽トルク化が図れる。
また、回転部材の筒状回転部の内周面に先細状の傾斜部を形成し、傾斜部の先端側で軸受け部の外周面と係合させるようにしたことから、回転部材の筒状回転部に先細状の傾斜部を設けるだけでいいので、簡易な構成で軽トルク化が図れる。
また、傾斜部を、金型の抜きテーパー以上の傾斜角度で形成したことから、係合面同士のナイフエッジ接触が確実となり、接触摩擦を軽減できるので、回転部材の軽トルク化が容易となる。
【発明を実施するための最良の形態】
【００１７】
以下、本発明の回転型電気部品の実施形態を図１乃至図７に示す。図１は本発明の回転型電気部品の平面図、図２は回転型電気部品の側面図、図３は回転型電気部品の断面図、図４は回転型電気部品の異なる方向からみた断面図、図５は回転型電気部品の他の実施例を示す断面図、図６は同じく回転型電気部品の他の実施例を示す断面図、図７は同じく回転型電気部品の他の実施例を示す断面図である。
【００１８】
図１乃至図４において、ハウジング１は合成樹脂などの絶縁材から形成されており、中央に開口部１ａを有する略円盤状の基盤部１ｂと、この開口部１ａの外側に円環状に立設する軸受け部１ｃを有している。また、この軸受け部１ｃの外周面には、先細状の斜面からなる傾斜部１ｄが形成されており、軸受け部１ｃの基部の径に対して先端側の径が小さくなるように形成されている。また、前記基盤部１ｂには、外周縁に沿って立設する外周壁部１ｅが設けられており、この外周壁部１ｅと前記軸受け部１ｃとに囲まれた間に凹溝状の平面からなる収納部１ｆが形成されている。
【００１９】
また、基盤部１ｂの裏側には前記開口部１ａを挟んで一対の係合突起１ｇが突出されている。この係合突起１ｇが電子機器などの図示しない実装基板上の取付孔に挿入されて位置決めされるものとなる。また、外周壁部１ｄの外側面には、複数の係止爪部１ｈが形成されており、この係止爪部１ｈに後述するカバー部材６のフック部６ｃが係合されて、カバー部材６がハウジング１の上面側に取り付けられるものとなる。
【００２０】
また、前記収納部１ｆには、導電性の金属板で形成され、前記基盤部１ｂに沿って環状に配設されたコードパターン２が、その一面を表出して設けられている。このコードパターン２は、図示しない複数個の個別パターンの組み合わせから形成されており、後述する摺動子５の接点部５ａがコードパターン２の表面上を摺接することにより種々のコード信号を出力するものとなっている。このコードパターン２と摺動子５とで信号検出手段を構成している。
【００２１】
また、前記コードパターン２の基部は、前記ハウジング１の内底部に一体的に埋設されており、その他端側はハウジング１の対向する両側部から外方へ導出されて外部端子２ａが形成されている。また、この外部端子２ａは先端側が１８０度に折り曲げられて面実装用の半田付け端子を形成している。この外部端子２ａが電子機器などの図示しない実装基板上の回路パターンに接続されて摺動子５及びコードパターン２で検出したコード信号を出力するものとなる。
【００２２】
また、前記ハウジング１の収納部１ｆの一端部には、やや幅広のばね収容部１ｉが形成されている。このばね収容部１ｉには、金属の線材から形成された捻りコイルばね状をしたクリックばね３が、その一端を係止されて配設されており、このクリックばね３の他端の自由端側に形成された突起部（図示せず）が、後述する回転部材４のクリック溝部４ｄに当接されて、回転部材４が回転された際のクリック感触を発生させるものとなる。
【００２３】
回転部材４は、合成樹脂などの絶縁材で略円筒状に形成されており、中央に開口部４ａを有する筒状回転部４ｂと、この筒状回転部４ｂの下方外周縁から側方に円盤状に突出する鍔部４ｃとを有している。この回転部材４は、前記ハウジング１の軸受け部１ｃの外周面に回転可能に係合されて、前記鍔部４ｃが前記収納部１ｆ内に収容されるものとなっている。
【００２４】
この時、前記回転部材４の開口部４ａ、すなわち、筒状回転部４ｂの内周面は、上下方向にわたってほぼ同一の径となるように形成されている。一方、この筒状回転部４ｂが係合される、前記ハウジング１の軸受け部１ｃの外周面には、先細状の斜面からなる傾斜部１ｄが形成されており、軸受け部１ｃの基部の径に対して、先端側の径の方が小さくなるように形成されている。
【００２５】
すなわち、前記軸受け部１ｃに前記回転部材４が係合された際には、軸受け部１ｃと筒状回転部４ｂとの係合面同士は、所定の角度を持って対向するようになっており、前記回転部材４が前記軸受け部１ｃの回りを回転する際には、軸受け部１ｃの基部側の一部と、筒状回転部４ｂの下面側の一部のみが係合して回転するものとなっている。このように、前記軸受け部１ｃの外周面に先細状となる傾斜部１ｄを形成して、傾斜部１ｄの基部側で回転部材４の筒状回転部４ｂの内周面と係合させるようになっている。
【００２６】
この場合、前記軸受け部１ｃと筒状回転部４ｂとの係合面同士は、金型の成形時の抜きテーパーの傾斜角度である、２〜３度よりも大きな傾斜角度となるように所定の角度を持って対向するようにしており、本実施例においては、この傾斜角度が約５度となるように形成している。
【００２７】
このように、軸受け部１ｃに先細状の傾斜部１ｄを設けることにより、回転部材４が回動する際には、点によるナイフエッジ接触となり、互いの係合面同士が面接触しないようになっている。そして、軸受け部１ｃと筒状回転部４ｂとの接触摩擦の発生を最小限にできるので、回転部材４の回転トルクを限りなくゼロに近づけることができ、軽トルク化が図れ、操作力が軽減されるものとなる。
【００２８】
また、前記傾斜部１ｄを、金型の成形時の抜きテーパー以上の傾斜角度で形成したことから、係合面同士が大きな傾斜角度で対向されるので、係合面同士のナイフエッジ接触が確実となり、接触摩擦を軽減でき、回転部材４の軽トルク化が容易となる。
【００２９】
また、前記鍔部４ｃの下面には、ばね製を有する導電性の薄板金属板からなる摺動子５が固着されている。この摺動子５には、複数の接点部５ａが形成されており、これら接点部５ａが、前記収納部１ｆに配設されたコードパターン２と摺接するようになっている。
【００３０】
また、前記鍔部４ｃの外周面には、全周にわたって凹凸状のカムからなるクリック溝部４ｄが形成されており、前記回転部材４が前記ハウジング１の軸受け部１ｃの外周面に沿って回転する際には、このクリック溝部４ｄに、前記ハウジング１の収納部１ｆに配設された、前記クリックばね３の突起部（図示せず）が当接して回転時のクリック感触を発生させるものとなっている。
【００３１】
カバー部材６は、平板状の金属板を打ち抜いて形成されており、中央に開口部６ａを有する略円環状の上板部６ｂと、この上板部６ｂから側方に垂下された複数のフック部６ｃとを有している。前記カバー部材６は、開口部６ａに前記回転部材４の筒状回転部４ｂを挿通した状態で、前記ハウジング１の外周壁部１ｅ上に載置されて収納部１ｆを被覆すると共に、複数の前記フック部６ｃが、前記ハウジングの外周壁部１ｅの外側面に形成された複数の前記係止爪部１ｈと係合して、ハウジング１の上面側に取り付けられるものとなっている。
【００３２】
次に、上記構成の回転型電気部品の動作について説明する。
まず、回転部材４が図示しない電子機器などのパネルに実装された操作つまみなどを介して回転操作されると、筒状回転部４ｂがハウジング１の軸受け部１ｃの外周面に沿って回動される。この時、筒状回転部４ｂと軸受け部１ｃとの係合面は、筒状回転部４ｂの内周面の下端部と軸受け部１ｃの基部とが、点によるナイフエッジ接触となり、互いの係合面同士が面接触しないため、軽快な回転が得られる。
【００３３】
そして、回転部材４の回転に伴って、筒状回転部４ｂの鍔部４ｃの下面に固着された摺動子５の接点部５ａが、ハウジング１の収納部１ｆに配設されたコードパターン２の表面上を摺接することにより種々のコード信号が出力される。そして、このコード信号が外部端子２ａを介して図示しない電子機器の制御回路に送信され、このコード信号を判定することにより、回転部材４の回転方向や回転量が検出されるものとなる。
【００３４】
また、この時、筒状回転部４ｂの鍔部４ｃの外周面に設けられた凹凸状のカムからなるクリック溝部４ｄに、ハウジング１の収納部１ｆに配設されたクリックばね３の突起部（図示せず）が係脱することにより、回転時のクリック感触が得られるものとなっている。
【００３５】
上記した実施例によれば、前記軸受け部１ｃと筒状回転部４ｂとの係合面に斜面からなる傾斜部１ｄを形成すると共に、この軸受け部１ｃと筒状回転部４ｂとの係合面同士を所定の角度を持って対向させて、前記回転部材４が回動する際には、前記傾斜部１ｄにより、前記軸受け部１ｃと筒状回転部４ｄとの係合面同士の一部でのみ摺動するようにしたことから、前記軸受け部１ｃと筒状回転部４ｂとの係合面に斜面からなる前記傾斜部１ｄを形成することにより、前記回転部材４が回動する際には、点によるナイフエッジ接触となり互いの係合面同士が面接触しないようにしたので、前記軸受け部１ｃと筒状回転部４ｂとの接触摩擦の発生を最小限にできるため、回転部材４の回転トルクをゼロに近づけることができ操作力が軽減されるものとなっている。
また、別途部品を追加する必要もないので、安価対応が可能となっている。
【００３６】
尚、上記実施例においては、前記ハウジング１は、中央に開口部１ａを有する略円盤状の基盤部１ｂと、この開口部１ａの外側に円環状に立設する軸受け部１ｃを有する構成とし、この開口部１ａの中央にプッシュスイッチやＬＥＤ等他の各種電子部品を搭載できる構成としたが、他の電子部品を搭載する必要がない場合には、基盤部１ｂには開口部は設けずに、中詰まり状の軸受け部とし、円柱状に立設するようにしても良い。
【００３７】
図５に示すのは、本発明の回転型電気部品の第２の実施例を示し、上記実施例と異なるのはハウジング１の軸受け部１ｃと、回転部材４の筒状回転部４ｄとの係合面の傾斜部の構成が一部相違する点である。尚、上記実施例の構成と同一の構成部品については同一符号を付してその説明を省略する。
【００３８】
すなわち、第２の実施例では、ハウジング１の軸受け部１ｃと、回転部材４の筒状回転部４ｄとの係合面に設けられた斜面からなる傾斜部は、筒状回転部４ｄの内周面に傾斜部４ｅとして形成されており、この傾斜部４ｅは、前記回転部材４の筒状回転部４ｄの内周面に形成した先広状の斜面からなり、内周面の基部の径に対して、先端側の径の方が大きくなるように形成されている。そして、この傾斜部４ｅの基部側で前記軸受け部１ｃの外周面と係合させるようにしている。
この時、前記軸受け部１ｃの外周面は、上下方向にわたってほぼ同一の径となるように形成されている。
【００３９】
すなわち、前記軸受け部１ｃに前記回転部材４が係合された際には、軸受け部１ｃと筒状回転部４ｂとの係合面同士は、所定の角度を持って対向するようになっており、前記回転部材４が前記軸受け部１ｃの回りを回転する際には、軸受け部１ｃの基部側の一部と、筒状回転部４ｂの下面側の一部のみが係合して回転するものとなっている。
このように、前記回転部材４の筒状回転部４ｂの内周面に先広状の前記傾斜部４ｅを形成し、この傾斜部４ｅの基部側で前記軸受け部１ｃの外周面と係合させるようにしたことから、前記回転部材４の筒状回転部４ｂに先広状の傾斜部４ｅを設けるだけでいいので、簡易な構成で軽トルク化が図れるものとなる。
【００４０】
図６に示すのは、本発明の回転型電気部品の第３の実施例を示し、上記実施例と異なるのは、同じく、ハウジング１の軸受け部１ｃと、回転部材４の筒状回転部４ｄとの係合面の傾斜部の構成が一部相違する点である。尚、上記実施例の構成と同一の構成部品については同一符号を付してその説明を省略する。
【００４１】
すなわち、第３の実施例では、ハウジング１の軸受け部１ｃと、回転部材４の筒状回転部４ｄとの係合面に設けられた斜面からなる傾斜部は、軸受け部１ｃの外周面に傾斜部１ｊとして形成されており、この傾斜部１ｊは、前記軸受け部１ｃの外周面に形成した先広状の斜面からなり、外周面の基部の径に対して、先端側の径の方が大きくなるように形成されている。そして、この傾斜部１ｊの先端側で前記筒状回転部４ｄの内周面と係合させるようにしている。
この時、前記筒状回転部４ｄの内周面は、上下方向にわたってほぼ同一の径となるように形成されている。
【００４２】
すなわち、前記軸受け部１ｃに前記回転部材４が係合された際には、軸受け部１ｃと筒状回転部４ｂとの係合面同士は、所定の角度を持って対向するようになっており、前記回転部材４が前記軸受け部１ｃの回りを回転する際には、軸受け部１ｃの先端側の一部と、筒状回転部４ｂの上面側の一部のみが係合して回転するものとなっている。
このように、前記軸受け部１ｃの外周面に先広状となる前記傾斜部１ｊを形成し、この傾斜部１ｊの先端側で前記回転部材４の筒状回転部４ｂの内周面と係合させるようにしたことから、前記軸受け部１ｃに先広状の傾斜部１ｊを設けるだけでいいので、簡易な構成で軽トルク化が図れるものとなる。
【００４３】
図７に示すのは、本発明の回転型電気部品の第４の実施例を示し、上記実施例と異なるのは、同じく、ハウジング１の軸受け部１ｃと、回転部材４の筒状回転部４ｄとの係合面の傾斜部の構成が一部相違する点である。尚、上記実施例の構成と同一の構成部品については同一符号を付してその説明を省略する。
【００４４】
すなわち、第４の実施例では、ハウジング１の軸受け部１ｃと、回転部材４の筒状回転部４ｄとの係合面に設けられた斜面からなる傾斜部は、筒状回転部４ｄの内周面に傾斜部４ｆとして形成されており、この傾斜部４ｆは、前記回転部材４の筒状回転部４ｄの内周面に形成した先細状の斜面からなり、内周面の基部の径に対して、先端側の径の方が小さくなるように形成されている。そして、この傾斜部４ｆの内周面の上面側で前記軸受け部１ｃの外周面の上端と係合させるようにしている。
この時、前記軸受け部１ｃの外周面は、上下方向にわたってほぼ同一の径となるように形成されている。
【００４５】
すなわち、前記軸受け部１ｃに前記回転部材４が係合された際には、軸受け部１ｃと筒状回転部４ｂとの係合面同士は、所定の角度を持って対向するようになっており、前記回転部材４が前記軸受け部１ｃの回りを回転する際には、軸受け部１ｃの先端側の一部と、筒状回転部４ｂの上面側の一部のみが係合して回転するものとなっている
このように、前記回転部材４の筒状回転部４ｂの内周面に先細状の前記傾斜部４ｆを形成し、この傾斜部４ｆの先端側で前記軸受け部１ｃの外周面と係合させるようにしたことから、前記回転部材４の筒状回転部４ｂに先細状の傾斜部４ｆを設けるだけでいいので、簡易な構成で軽トルク化が図れるものとなる。
【図面の簡単な説明】
【００４６】
【図１】本発明の回転型電気部品を示す平面図である。
【図２】本発明の回転型電気部品を示す側面図である。
【図３】本発明の回転型電気部品を示す断面図である。
【図４】本発明の回転型電気部品を示す異なる方向からみた断面図である。
【図５】本発明の回転型電気部品の他の実施例を示す断面図である。
【図６】本発明の回転型電気部品の他の実施例を示す断面図である。
【図７】本発明の回転型電気部品の他の実施例を示す断面図である。
【図８】従来の回転型電気部品を示す断面図である。
【符号の説明】
【００４７】
１：ハウジング
１ａ：開口部
１ｂ：基盤部
１ｃ：軸受け部
１ｄ：傾斜部
１ｅ：外周壁部
１ｆ：収納部
１ｇ：係合突起
１ｈ：係止爪部
１ｉ：ばね収容部
１ｊ：傾斜部
２：コードパターン
２ａ：外部端子
３：クリックばね
４：回転部材
４ａ：開口部
４ｂ：筒状回転部
４ｃ：鍔部
４ｄ：クリック溝部
４ｅ：傾斜部
４ｆ：傾斜部
５：摺動子
５ａ：接点部
６：カバー部材
６ａ：開口部
６ｂ：上板部
６ｃ：フック部
【図１】
2005166460.tif 000003
【図２】
2005166460.tif 000004
【図３】
2005166460.tif 000005
【図４】
2005166460.tif 000006
【図５】
2005166460.tif 000007
【図６】
2005166460.tif 000008
【図７】
2005166460.tif 000009
【図８】
2005166460.tif 000010